(57)【要約】      （修正有）【課題】部品コストの低廉化によるユーザー負担の軽減を図ることができ、また、水、空気２流体の大気混合定量噴射を実現でき、さらにはメンテナンス作業や清掃作業の簡略容易化をも図れるカートリッジ式の歯科用ハンドピースを提供する。【解決手段】ハンドピース本体２側から水、空気が給送されるとともに、内部に下端面内周側が開口したカートリッジハウジング２１用の収容領域１２を形成し、一方の流体流路３に連通させた一方の連絡流路１３の出口側を収容領域１２を形成する内壁面に臨ませ、他方の流体流路４に連通させた他方の連絡流路１４の出口側を下端面１１ａに開口した他方の流体噴射口１５としたハンドピースヘッド部１１と、ハンドピースヘッド部１１の収容領域１２内に、下端面２１ａをハンドピースヘッド部１１の下端面１１ａの内側に臨ませて着脱可能に装着される。【選択図】図１
2014090892.tif 000002
【特許請求の範囲】
【請求項１】
ハンドピース本体側から２系統の流体流路により水、空気が給送されるとともに、内部に下端面内周側が開口したカートリッジハウジング用の収容領域を形成し、２系統の流体流路のうちの一方の流体流路に連通させた一方の連絡流路の出口側を前記収容領域を形成する内壁面に臨ませ、他方の流体流路に連通させた他方の連絡流路の出口側を前記下端面に開口した他方の流体噴射口としたハンドピースヘッド部と、
前記ハンドピースヘッド部の収容領域内に、下端面を前記ハンドピースヘッド部の下端面の内側に臨ませて着脱可能に装着されるとともに、回転駆動される切削工具を下端面中央部から突出状態に、かつ、着脱可能に保持し、前記一方の連絡流路の出口側に対応する外壁部から内部を経て下端面に開口した一方の流体噴射口に至るカートリッジハウジング流路を備えるカートリッジハウジングと、
を有し、
前記一方の流体流路及び連絡流路を経てカートリッジハウジング流路における一方の流体噴射口から水又は空気のいずれか一方を、前記他方の流体流路及び連絡流路を経てハンドピースヘッド部の他方の流体噴射口から水又は空気のいずれか他方を、水、空気大気中混合方式で前記切削工具による切削作用面領域に向けて噴射するように構成したことを特徴とするカートリッジ式の歯科用ハンドピース。
【請求項２】
ハンドピース本体側から２系統の流体流路により水、空気が給送されるとともに、内部に下端面内周側が開口したカートリッジハウジング用の収容領域を形成し、２系統の流体流路のうちの一方の流体流路に連通させた一方の連絡流路の出口側を前記収容領域を形成する内壁面に臨ませ、他方の流体流路に連通させた他方の連絡流路の出口側を前記下端面に開口した他方の流体噴射口としたハンドピースヘッド部と、
前記ハンドピースヘッド部の収容領域内に、下端面を前記ハンドピースヘッド部の下端面の内側に臨ませて着脱可能に装着されるとともに、回転駆動される切削工具を下端面中央部から突出状態に、かつ、着脱可能に保持し、前記一方の連絡流路の出口側に対応する外壁部から内部を経て下端面に開口した一方の流体噴射口に至るカートリッジハウジング流路を備えるカートリッジハウジングと、
を有し、
前記一方の流体流路及び連絡流路を経てカートリッジハウジング流路における一方の流体噴射口から水を、前記他方の流体流路及び連絡流路を経てハンドピースヘッド部の他方の流体噴射口から空気を、水、空気大気中混合方式で前記切削工具による切削作用面領域に向けて噴射するように構成したことを特徴とするカートリッジ式の歯科用ハンドピース。
【請求項３】
ハンドピース本体側から２系統の流体流路により水、空気が給送されるとともに、内部に下端面内周側が開口したカートリッジハウジング用の収容領域を形成し、２系統の流体流路のうちの一方の流体流路に連通させた一方の連絡流路の出口側を前記収容領域を形成する内壁面に臨ませ、他方の流体流路に連通させた他方の連絡流路の出口側を前記下端面に開口した他方の流体噴射口としたハンドピースヘッド部と、
前記ハンドピースヘッド部の収容領域内に、下端面を前記ハンドピースヘッド部の下端面の内側に臨ませて着脱可能に装着されるとともに、回転駆動される切削工具を下端面中央部から突出状態に、かつ、着脱可能に保持し、前記一方の連絡流路の出口側に対応する外壁部から内部を経て下端面に開口した一方の流体噴射口に至るカートリッジハウジング流路を備えるカートリッジハウジングと、
を有し、
前記一方の流体流路及び連絡流路を経てカートリッジハウジング流路における一方の流体噴射口から空気を、前記他方の流体流路及び連絡流路を経てハンドピースヘッド部の他方の流体噴射口から水を、水、空気大気中混合方式で前記切削工具による切削作用面領域に向けて噴射するように構成したことを特徴とするカートリッジ式の歯科用ハンドピース。
【発明の詳細な説明】
【技術分野】
【０００１】
本発明は、カートリッジ式の歯科用ハンドピースに関し、詳しくは、切削工具の切削作用面に対する注水冷却機能を有するカートリッジ式の歯科用ハンドピースに関するものである。
【背景技術】
【０００２】
従来から歯科の治療において、回転駆動される切削工具を挿着したカートリッジをハンドピースヘッド部に内蔵し、患部を削除する際に切削により発生する熱を冷却するとともに切削により生じる切り屑を除去するために、ハンドピースヘッド部側から切削工具の切削作用面に水と空気を混合して噴射するように構成したカートリッジ式の歯科用ハンドピースが提案され実用化されている。
【０００３】
この種のカートリッジ式の歯科用ハンドピースにおいては、部品コストの低廉化によるユーザー負担の軽減、また、水、空気２流体の定量噴射の実現、さらにはメンテナンス作業や清掃作業の簡略容易化が要請される。
【０００４】
特許文献１には、歯科用ハンドピース先端のヘッドハウジングに、カートリッジケース、歯科用処置工具を保持するバースリーブ、上下のベアリングを備えるカートリッジを着脱自在に装着して構成するカートリッジ式の歯科用ハンドピースにおいて、前記カートリッジが、下方のベアリングを超えてヘッドハウジングの最下端まで突出する突出部を備え、この突出部の外周面には、装着状態において前記ヘッドハウジングの内面との間にリング状の流体通路を形成する凹溝を設け、カートリッジの下端面には前記凹溝と連通する流体噴射孔（スプレー孔）を孔設し、さらにヘッドハウジングが、これの内周面に開口してハンドピース本体内に配設した流体供給路からの流体を前記流体通路に給送する連絡孔を備える構成の歯科用ハンドピースが提案されている。
【０００５】
しかし、特許文献１の歯科用ハンドピースの場合、前記ヘッドハウジングの内面と、カートリッジのヘッドハウジング内に位置する突出部の外周面との間に水、空気を混合させるスプレー機構を設け、カートリッジの下端面に設けた流体噴射孔から混合させた水、空気からなる流体を噴射する構造であり、カートリッジの外周面に２つの凹溝を設け、下端面から内部方向に２つの凹溝に連通させる流体噴射孔を設けなければならず、カートリッジの加工コスト高を招き、当該カートリッジは消耗品で設置現場での交換部品であることを考慮するとユーザー負担が増加してしまう。
【０００６】
また、特許文献１の歯科用ハンドピースの場合、水、空気からなる２流体の内部混合方式であり、２流体の圧力バランスに影響されてこれら２流体の定量噴射が難しいという問題もある。
【０００７】
さらに、特許文献１の歯科用ハンドピースの場合、カートリッジをヘッドハウジングから取り外して、２つの凹溝及びこれら２つの凹溝に連通させた流体噴射孔のメンテナンスや清掃を行うことが必要となり、メンテナンス作業や清掃作業が煩雑化する。
【先行技術文献】
【特許文献】
【０００８】
【特許文献１】特公平７−１４３９７号公報
【発明の概要】
【発明が解決しようとする課題】
【０００９】
本発明が解決しようとする問題点は、部品コストの低廉化によるユーザー負担の軽減を図ることができ、また、水、空気２流体の大気混合定量噴射を実現でき、さらにはメンテナンス作業や清掃作業の簡略容易化をも図れるようなカートリッジ式の歯科用ハンドピースが存在しない点である。
【課題を解決するための手段】
【００１０】
本発明のカートリッジ式の歯科用ハンドピースは、ハンドピース本体側から２系統の流体流路により水、空気が給送されるとともに、内部に下端面内周側が開口したカートリッジハウジング用の収容領域を形成し、２系統の流体流路のうちの一方の流体流路に連通させた一方の連絡流路の出口側を前記収容領域を形成する内壁面に臨ませ、他方の流体流路に連通させた他方の連絡流路の出口側を前記下端面に開口した他方の流体噴射口としたハンドピースヘッド部と、前記ハンドピースヘッド部の収容領域内に、下端面を前記ハンドピースヘッド部の下端面の内側に臨ませて着脱可能に装着されるとともに、回転駆動される切削工具を下端面中央部から突出状態に、かつ、着脱可能に保持し、前記一方の連絡流路の出口側に対応する外壁部から内部を経て下端面に開口した一方の流体噴射口に至るカートリッジハウジング流路を備えるカートリッジハウジングと、を有し、前記一方の流体流路及び連絡流路を経てカートリッジハウジング流路における一方の流体噴射口から水又は空気のいずれか一方を、前記他方の流体流路及び連絡流路を経てハンドピースヘッド部の他方の流体噴射口から水又は空気のいずれか他方を、水、空気大気中混合方式で前記切削工具による切削作用面領域に向けて噴射するように構成したことを最も主要な特徴とする。
【発明の効果】
【００１１】
請求項１記載の発明によれば、水、空気をカートリッジハウジング、ハンドピースヘッド部の外部で混合させる水、空気大気中混合方式の基に、ハンドピースヘッド部内における水、空気各々の圧力バランスに作用されることのない定量吐出スプレー構造とすることができ、また、カートリッジハウジングの構造が簡略化し、加工コストの低廉化によるユーザー負担の軽減を図ることもでき、さらに、カートリッジハウジング２１をハンドピースヘッド部から取り外した状態では、カートリッジハウジング流路の凹溝部や流体噴出口が外部に露出するとともに、ハンドピースヘッド部側でも他方の流体噴出口を含む嵌着部材が外部に露出することから、カートリッジハウジングやハンドピースヘッド部のメンテナンス作業や清掃作業の簡略容易化をも図ることができるカートリッジ式の歯科用ハンドピースを提供することができる。
【００１２】
請求項２記載の発明によれば、カートリッジハウジング側の一方の流体噴射口から水を切削工具による切削作用面領域に向けて噴射し、また、ハンドピースヘッド部側の他方の流体噴射口から空気を前記切削工具による切削作用面領域に向けて噴射する構成の基に、請求項１記載の発明と同様な効果を奏するカートリッジ式の歯科用ハンドピースを提供することができる。
【００１３】
請求項３記載の発明によれば、カートリッジハウジング側の一方の流体噴射口から空気を切削工具による切削作用面領域に向けて噴射し、また、ハンドピースヘッド部側の他方の流体噴射口から水を前記切削工具による切削作用面領域に向けて噴射する構成の基に、請求項１記載の発明と同様な効果を奏するカートリッジ式の歯科用ハンドピースを提供することができる。
【図面の簡単な説明】
【００１４】
【図１】図１は本発明の実施例に係るカートリッジ式の歯科用ハンドピース  におけるハンドピースヘッド部及びカートリッジハウジングの概略断面図である。
【図２】図２は本実施例に係るカートリッジ式の歯科用ハンドピースにおけるハンドピースヘッド部から取り外したカートリッジハウジングの外観を示す概略図である。
【図３】図３は本実施例に係るカートリッジ式の歯科用ハンドピースにおけるハンドピースヘッド部及び切削工具を保持したカートリッジハウジングを下端面側からみた概略斜視図である。
【図４】図４は本実施例に係るカートリッジ式の歯科用ハンドピースにおける嵌着部材の平面図である。
【図５】図５は本実施例に係るカートリッジ式の歯科用ハンドピースの外観を示す概略図である。
【図６】図６は本実施例に係るカートリッジ式の歯科用ハンドピースにおける水、空気噴射態様の他例を示す概略断面図である。
【発明を実施するための形態】
【００１５】
本発明は、部品コストの低廉化によるユーザー負担の軽減を図ることができ、水、空気２流体の大気混合定量噴射も可能であり、さらにはメンテナンス作業や清掃作業の簡略容易化をも図れるカートリッジ式の歯科用ハンドピースを提供するという目的を、ハンドピース本体側から２系統の流体流路により水、空気が給送されるとともに、内部に下端面内周側が開口したカートリッジハウジング用の収容領域を形成し、２系統の流体流路のうちの一方の流体流路に連通させた一方の連絡流路の出口側を前記収容領域を形成する内壁面に臨ませ、他方の流体流路に連通させた他方の連絡流路の出口側を前記下端面に開口した他方の流体噴射口としたハンドピースヘッド部と、前記ハンドピースヘッド部の収容領域内に、下端面を前記ハンドピースヘッド部の下端面の内側に臨ませて着脱可能に装着されるとともに、回転駆動される切削工具を下端面中央部から突出状態に、かつ、着脱可能に保持し、前記一方の連絡流路の出口側に対応する外壁部から内部を経て下端面に開口した一方の流体噴射口に至るカートリッジハウジング流路を備えるカートリッジハウジングと、を有し、前記一方の流体流路及び連絡流路を経てカートリッジハウジング流路における一方の流体噴射口から水を、前記他方の流体流路及び連絡流路を経てハンドピースヘッド部の他方の流体噴射口から空気を、水、空気大気中混合方式で前記切削工具による切削作用面領域に向けて噴射する構成により実現した。
【実施例】
【００１６】
以下に本発明の実施例に係るカートリッジ式の歯科用ハンドピースについて図面を参照して詳細に説明する。
【００１７】
本実施例に係るカートリッジ式の歯科用ハンドピース１は、歯科の治療に用いられるものであり、図５に示すように、ハンドピース本体２の一端に詳細は後述するカートリッジハウジング２１を内蔵したハンドピースヘッド部１１を備えている。
【００１８】
前記ハンドピースヘッド部１１、カートリッジハウジング２１について図１乃至図４を参照して詳述する。
【００１９】
本実施例に係るカートリッジ式の歯科用ハンドピース１におけるハンドピースヘッド部１１は、図１に示すように、全体として略円筒状に形成されるとともに、図１において、下部側を開口穴を設けた下端面１１ａに至るに従い縮径するテーパー状とし、外周部の一部を前記ハンドピース本体２の一端に連結した構成としている。
【００２０】
前記ハンドピースヘッド部１１の内部には、下端面１１ａの内周側が円形に開口したカートリッジハウジング２１用の収容領域１２を形成している。
【００２１】
前記ハンドピースヘッド部１１のハンドピース本体２との連結部分の内部には、ハンドピース本体２側に設けた一方の流体流路３、及び、他方の流体流路４に各々連通させた一方の連絡流路１３、他方の連絡流路１４を設けている。
【００２２】
前記一方の流体流路３に連通させた一方の連絡流路１３の出口側を前記収容領域１２を形成する内壁面に臨ませ、他方の流体流路４に連通させた他方の連絡流路１４の出口側を前記下端面１１ａに開口した他方の流体噴射口１５としている。
【００２３】
すなわち、前記ハンドピースヘッド部１１の下端面１１ａの内周領域には、全周にわたって内周切欠凹部１１ｂを形成し、また、カートリッジハウジング２１の下端面２１ａの外周部には外周切欠凹部２１ｂを形成している。
【００２４】
そして、内周切欠凹部１１ｂと外周切欠凹部２１ｂとの領域に、円形環状で外周部に立ち上がり部１６ａを有し、かつ、底板部１６ｂに立ち上がり部１６ａの内側に位置して例えば円周方向に１２０度間隔配置で３個の流体噴射口１５を形成した嵌着部材１６を嵌着し、３個の流体噴射口１５をカートリッジハウジング２１の下端外周の直ぐ隣に位置する構成としている。
【００２５】
前記カートリッジハウジング２１は、前記ハンドピースヘッド部２の収容領域１２内に、下端面２１ａを前記ハンドピースヘッド部１１の下端面１１ａの内側に臨ませて着脱可能に装着されている。
【００２６】
前記カートリッジハウジング２１の内部には、上下配置に軸受２２、２２が配置され、上下の軸受２２、２２により回転可能に回転軸２３を保持し、この回転軸２３の外周に空気圧にて回転駆動されるるローター２４を取り付けている。
【００２７】
また、前記回転軸２３に対して、切削工具３１の上部側を着脱可能に装着するとともに、この切削工具３１の下部側（突出端側）は前記カートリッジハウジング２１の下端中央部から下方に突出させ切削作用面領域に臨ませるように構成している。
【００２８】
さらに、前記カートリッジハウジング２１には、前記一方の連絡流路１３の出口側に対応する外壁部から内部を経て下端面２１ａに開口した一方の流体噴射口２６に至るカートリッジハウジング流路２５を備えている。
【００２９】
このカートリッジハウジング流路２５は、外壁部から内部に至って形成した凹溝部２７と、凹溝部２７の内方端部から下端面２１ａに向けて穿設した例えば円周方向１２０度間隔の３箇所の噴射流路２８とからなり、各噴射流路２８の下端面２１ａの部分を各々一方の流体噴射口２６とした逆Ｌ状を呈する形状としている。
【００３０】
また、各流体噴射口２６の開口位置は、前記３個の流体噴射口１５と各々隣り合う配置としている。
【００３１】
前記ハンドピースヘッド部１１の上部には、このハンドピースヘッド部１１内に装着された前記カートリッジハウジング２１の上部を被う蓋体１７が着脱可能に嵌着され、蓋体１７の内底突部１７ａを前記カートリッジハウジング２１における回転軸２３の上面に当接させるとともに、蓋体１７の内底の下側でカツ、回転軸２３の周りに配置したコイルばね１８により、前記回転軸２３を介してカートリッジハウジング２１を図１において下方に向けて、すなわち、前記ハンドピースヘッド部１１と一体化するように付勢している。
尚、前記ローター２４を回転駆動する空圧駆動系については公知のものと同様であるため、説明を省略する。
【００３２】
次に、上述した構成からなる本実施例に係るカートリッジ式の歯科用ハンドピース１の作用、効果について、前記カートリッジハウジング２１に関する作用、効果を主にして説明する。
【００３３】
本実施例に係るカートリッジ式の歯科用ハンドピース１においては、前記一方の流体流路３及び連絡流路１３を経てカートリッジハウジング流路２５における一方の流体噴射口２６から水を前記切削工具３１による切削作用面領域に向けて噴射し、また、前記他方の流体流路４及び連絡流路１４を経てハンドピースヘッド部１１の他方の流体噴射口１５から空気を前記切削工具３１による切削作用面領域に向けて噴射するものである。
【００３４】
これにより、本実施例に係るカートリッジ式の歯科用ハンドピース１によれば、水、空気を前記カートリッジハウジング２１、ハンドピースヘッド部１１の外部で混合させる水、空気大気中混合方式の基に、ハンドピースヘッド部１１内における水、空気各々の圧力バランスに作用されることのない定量吐出スプレー構造とすることができ、患部を削除する際に切削により発生する熱の冷却や、切削により生じる切り屑除去に効果的なカートリッジ式の歯科用ハンドピース１を提供することができる。
【００３５】
また、本実施例に係るカートリッジ式の歯科用ハンドピース１によれば、前記カートリッジハウジング２１には、その下端側の外壁部から内部を経て下端面２１ａに開口する流体噴射口２６に至るカートリッジハウジング流路２５を設けた構成からなるものであるから、前記カートリッジハウジング２１に凹溝部２７と３箇所の流体噴射口２６を噴射流路２８を形成するだけでよく、カートリッジハウジング２１の構造が簡略化し、従来例に比べ、前記カートリッジハウジング２１の加工コストの低廉化によるユーザー負担の軽減を図ることができる。
【００３６】
さらに、本実施例に係るカートリッジ式の歯科用ハンドピース１によれば、前記カートリッジハウジング２１をハンドピースヘッド部１１から取り外した状態では、図２に示すように、前記カートリッジハウジング流路２５を構成する凹溝部２７や流体噴出口２６が外部に露出するとともに、ハンドピースヘッド部１１側でも前記他方の流体噴出口１５を含む嵌着部材１６が外部に露出する構造であることから、前記カートリッジハウジング２１やハンドピースヘッド部１１のメンテナンス作業や清掃作業の簡略容易化をも図ることができる。
【００３７】
図６は、本実施例に係るカートリッジ式の歯科用ハンドピース１における水、空気噴射態様の他例を示すものであり、図１に示す場合とは逆に、前記一方の流体流路３及び連絡流路１３を経てカートリッジハウジング流路２５における一方の流体噴射口２６から空気を前記切削工具３１による切削作用面領域に向けて噴射し、また、前記他方の流体流路４及び連絡流路１４を経てハンドピースヘッド部１１の他方の流体噴射口１５から水を前記切削工具３１による切削作用面領域に向けて噴射する使用態様としたものである。
【００３８】
このような図６に示すような使用態様を採用する場合においても、上述した場合と同様な作用、効果を発揮させることができる。
【産業上の利用可能性】
【００３９】
本発明は、上述したようなエアータービン式の歯科用ハンドピースはもちろんのこと、切削作用面に水、空気を噴射する２流体噴射式の各種歯科用ハンドピースに関して広範に応用可能である。
【符号の説明】
【００４０】
１    歯科用ハンドピース
２    ハンドピースヘッド部
３    一方の流体流路
４    他方の流体流路
１１    ハンドピースヘッド部
１１ａ  下端面
１１ｂ  内周切欠凹部
１２    収容領域
１３    一方の連絡流路
１４    他方の連絡流路
１５    他方の流体噴射口
１６    嵌着部材
１６ａ  立ち上げ部
１６ｂ  底板部
１７    蓋体
１７ａ  内底突部
１８    コイルばね
２１    カートリッジハウジング
２１ａ  下端面
２１ｂ  外周切欠凹部
２２    軸受
２３    回転軸
２４    ローター
２５    カートリッジハウジング流路
２６    一方の流体噴射口
２７    凹溝部
２８    噴射流路
３１    切削工具
【図１】
2014090892.tif 000003
【図２】
2014090892.tif 000004
【図３】
2014090892.tif 000005
【図４】
2014090892.tif 000006
【図５】
2014090892.tif 000007
【図６】
2014090892.tif 000008